(57)【要約】【課題】ピックアップを高速で移動させる場合でも、情報の記録又は再生に使用しない可動部が破損したり変形したりすることを防止するディスクドライブ装置を提供する。【解決手段】ディスク状記録媒体１と対向する側がレーザ光が通過できる開口部を有する開放端とされた収容室６ｃと、収容室の内部に移動可能に支持された可動部７Ｂと、外部から与えられる制御信号によって可動部を駆動する駆動部４１Ｂと、収容室の内壁部に可動部を挟んでそれぞれ対向するように装着された緩衝部材３４と、ディスク状記録媒体に対して情報の記録又は再生を行わない場合で、かつ、ピックアップ５をトラッキング制御方向に移動させるとき、ピックアップの移動方向とは反対側の収容室の側壁６ｂに、緩衝部材を介して可動部を圧接させるように駆動部に制御信号を与える静止制御手段４２とを備える。【選択図】図５
2007272979.tif 000002
【特許請求の範囲】
【請求項１】
ディスク状記録媒体に光ビームを照射して情報の記録又は再生を行うピックアップと、前記ピックアップを支持するとともに、前記ディスク状記録媒体の径方向に移動させる搬送手段とを有し、前記ピックアップは、前記ディスク状記録媒体と対向する側に開口部を有する収容室が形成され、前記収容室のベース部が前記搬送手段に係合されたベース部材と、前記光ビームを収束させる対物レンズを保持して前記収容室に収容されるとともに、前記収容室の内部にて少なくとも前記ディスク状記録媒体の径方向に移動可能に支持された可動部と、前記ベース部材の外部から与えられる制御信号によって前記可動部を駆動する駆動部とを含む、ディスクドライブ装置において、
前記収容室における前記ディスク状記録媒体の径方向の内壁部に前記可動部を挟んでそれぞれ対向するように装着された緩衝部材と、
前記ディスク状記録媒体に対して情報の記録と再生とのいずれをも行わない場合で、かつ、前記搬送手段によって前記ピックアップを前記ディスク状記録媒体の径方向に移動させるとき、前記ピックアップの移動方向とは反対側の前記収容室の側壁に、前記緩衝部材を介して前記可動部を圧接させるように前記駆動部に制御信号を与える静止制御手段とを、
備えたことを特徴とするディスクドライブ装置。
【請求項２】
ディスク状記録媒体に光ビームを照射して情報の記録又は再生を行うピックアップと、前記ピックアップを支持するとともに、前記ディスク状記録媒体の径方向に移動させる搬送手段とを有し、前記ピックアップは、前記ディスク状記録媒体と対向する側にそれぞれ開口部を有する複数の収容室が形成され、前記収容室のベース部が前記搬送手段に係合されたベース部材と、前記光ビームを収束させる対物レンズをそれぞれ保持して複数の前記収容室にそれぞれ収容されるとともに、前記収容室の内部にて少なくとも前記ディスク状記録媒体の径方向に移動可能に支持された複数の可動部と、前記ベース部材の外部から与えられる制御信号によって前記可動部を個々に駆動する複数の駆動部を含む、ディスクドライブ装置において、
複数の前記収容室における前記ディスク状記録媒体の径方向の内壁部に前記可動部を挟んでそれぞれ対向するように装着された緩衝部材と、
複数の前記可動部のいずれか１つが前記ディスク状記録媒体に情報の記録又は再生を行い、それ以外が情報の記録と再生とのいずれをも行わない場合で、かつ、前記搬送手段によって前記ピックアップを前記ディスク状記録媒体の径方向に移動させるとき、情報の記録と再生とのいずれをも行わない前記可動部を前記ピックアップの移動方向とは反対側の前記収容室の側壁に、前記緩衝部材を介して圧接させるようにそれぞれ対応する前記駆動部に制御信号を与える静止制御手段とを、
備えたことを特徴とするディスクドライブ装置。
【発明の詳細な説明】
【技術分野】
【０００１】
本発明は、ディスク状記録媒体の信号面と光ビームを放射するピックアップの光ビーム放射面とを対向させた状態で、ディスク状記録媒体を回転させると同時にピックアップをディスク状記録媒体の径方向に移動させながら、ピックアップの光ビームによるディスク状記録媒体に対する情報の記録又は再生を行うディスクドライブ装置に関する。
【背景技術】
【０００２】
近年、ディスク状記録媒体の高記録密度化が進み、各種のディスク状記録媒体が規格化されている。そして、現在、これらすべての規格のディスク状記録媒体について情報の記録や再生を行うことができるディスクドライブ装置が主流になってきている。記録密度が異なる各種のディスク状記録媒体について、情報の記録や再生を行うために、２系統のレンズを搭載したピックアップや、２系統の光学系を搭載したピックアップも提案されている。
【０００３】
この種のピックアップは、レンズや光学系を一体的に結合して支持することにより、ディスク状記録媒体の信号面と直交する方向（以下、フォーカス方向とも称する）と、ディスク状記録媒体の径方向（以下、トラッキング制御方向とも称する）とに移動可能な可動部を備えており、一方の可動部を情報の記録又は再生に使用する場合には、他方の可動部は使用されない。そして、使用されない可動部で扱う情報の規格がディスク状記録媒体の情報の規格と異なる場合には、使用されない可動部はディスク状記録媒体に対する情報の記録又は再生が不可能であるため自由振動状態におかれる。この状態でピックアップを高速にシークさせる場合、可動部をフォーカス方向とトラッキング制御方向とに移動可能に支持している収容室の側壁に可動部が衝突し、最悪の場合には可動部が破損することがある。
【０００４】
可動部が収容室の内壁に衝突しても破損したり変形したりすることを防止するために、収容室の内壁に緩衝部材を装着し、この緩衝部材によって衝突を緩和させるディスクドライブ装置が提案されている（例えば、下記の特許文献１参照）。
【特許文献１】特開平７−３１１９６６号公報
【発明の開示】
【発明が解決しようとする課題】
【０００５】
しかしながら、特許文献１に記載されたディスクドライブ装置は、可動部をその内部に支持する収容室の側壁に緩衝部材を装着しただけの構成であるため、この技術を２系統のレンズ又は光学系を搭載したピックアップを有するディスクドライブ装置に適用したとしても、情報の記録又は再生に使用しない可動部は、自由振動状態におかれ、情報の記録又は再生に使用する可動部よりも強い衝撃で収容室の側壁に衝突したり、互いに対向する２つの側壁に振動的に衝突したりする。このため、情報の記録又は再生に使用しない可動部が破損したり変形したりすることを確実に防止することが難しいという問題があった。
【０００６】
本発明は、上記の問題点を解決するためになされたもので、ピックアップをトラッキング制御方向に高速で移動又は往復運動させる場合でも、情報の記録又は再生に使用しない可動部が破損したり変形したりすることを確実に防止することが可能なディスクドライブ装置を提供することを目的とする。
【課題を解決するための手段】
【０００７】
上記の目的を達成するために、本発明は、ディスク状記録媒体に光ビームを照射して情報の記録又は再生を行うピックアップと、前記ピックアップを支持するとともに、前記ディスク状記録媒体の径方向に移動させる搬送手段とを有し、前記ピックアップは、前記ディスク状記録媒体と対向する側に開口部を有する収容室が形成され、前記収容室のベース部が前記搬送手段に係合されたベース部材と、前記光ビームを収束させる対物レンズを保持して前記収容室に収容されるとともに、前記収容室の内部にて少なくとも前記ディスク状記録媒体の径方向に移動可能に支持された可動部と、前記ベース部材の外部から与えられる制御信号によって前記可動部を駆動する駆動部とを含む、ディスクドライブ装置において、
前記収容室における前記ディスク状記録媒体の径方向の内壁部に前記可動部を挟んでそれぞれ対向するように装着された緩衝部材と、
前記ディスク状記録媒体に対して情報の記録と再生とのいずれをも行わない場合で、かつ、前記搬送手段によって前記ピックアップを前記ディスク状記録媒体の径方向に移動させるとき、前記ピックアップの移動方向とは反対側の前記収容室の側壁に、前記緩衝部材を介して前記可動部を圧接させるように前記駆動部に制御信号を与える静止制御手段とを、備える。
【０００８】
また、本発明は、ディスク状記録媒体に光ビームを照射して情報の記録又は再生を行うピックアップと、前記ピックアップを支持するとともに、前記ディスク状記録媒体の径方向に移動させる搬送手段とを有し、前記ピックアップは、前記ディスク状記録媒体と対向する側にそれぞれ開口部を有する複数の収容室が形成され、前記収容室のベース部が前記搬送手段に係合されたベース部材と、前記光ビームを収束させる対物レンズをそれぞれ保持して複数の前記収容室にそれぞれ収容されるとともに、前記収容室の内部にて少なくとも前記ディスク状記録媒体の径方向に移動可能に支持された複数の可動部と、前記ベース部材の外部から与えられる制御信号によって前記可動部を個々に駆動する複数の駆動部を含む、ディスクドライブ装置において、
複数の前記収容室における前記ディスク状記録媒体の径方向の内壁部に前記可動部を挟んでそれぞれ対向するように装着された緩衝部材と、
複数の前記可動部のいずれか１つが前記ディスク状記録媒体に情報の記録又は再生を行い、それ以外が情報の記録と再生とのいずれをも行わない場合で、かつ、前記搬送手段によって前記ピックアップを前記ディスク状記録媒体の径方向に移動させるとき、情報の記録と再生とのいずれをも行わない前記可動部を前記ピックアップの移動方向とは反対側の前記収容室の側壁に、前記緩衝部材を介して圧接させるようにそれぞれ対応する前記駆動部に制御信号を与える静止制御手段とを、備える。
【発明の効果】
【０００９】
本発明においては、収容室における記録媒体の径方向の内壁部に可動部を挟んでそれぞれ対向するように緩衝部材を装着し、さらに搬送手段によってピックアップをディスク状記録媒体の径方向に移動させるとき、情報の記録又は再生を行わない可動部をピックアップの移動方向とは反対側の側壁に、緩衝部材を介して圧接させるように静止制御手段が駆動部に制御信号を与えるので、情報の記録又は再生に使用しない可動部が破損したり変形したりすることを確実に防止することが可能なディスクドライブ装置を提供することができる。
【発明を実施するための最良の形態】
【００１０】
以下、本発明を図面に示す好適な実施の形態に基づいて詳細に説明する。図１は本発明に係るディスクドライブ装置の一実施の形態の全体構成を示すブロック図である。図１において、ディスク状記録媒体（以下、光ディスクと略記する）１は、スピンドルモータ２のシャフト３に固着されたフランジ４に着脱可能な状態で保持されている。スピンドルモータ２は、ピックアップ５から射出、集光される光ビームのスポット位置で光ディスク１のピットが所定の線速度になるように、駆動回路４０を介して、マイクロコンピュータ２０によって回転数が制御される。
【００１１】
ピックアップ５は、光ディスク１に光ビームを照射して情報の記録又は再生を行うもので、光ディスク１と対向する側がレーザ光が通過できる開口部を有する開放端とされた収容室６ｃが形成され、そのベース部となる凸部８が搬送手段としてのリードスクリュウ１０に係合されたベース部材６と、収容室６ｃに収容されるとともに、収容室６ｃの内部にてフォーカス方向とトラッキング制御方向とに移動可能に支持された可動部７と、可動部７を駆動する駆動部とを含んでいる。ここで、可動部７は、複数のレーザダイオード（ＬＤ）１２、複数のフォトダイオードにより構成される受光部（ＰＤ）１３、ハーフミラー１４、光ビームを収束させる対物レンズ１５、トラッキング制御用コイル１６及びフォーカス制御用コイル１７（共に図中単にコイルと記す）が一体化されている。このうち、トラッキング制御用コイル１６及びフォーカス制御用コイル１７と後述する永久磁石３１とで本発明の駆動部が構成される。
【００１２】
なお、図１では図面の簡易化のために図示を省略したが、ピックアップ５は光ディスク１の径方向にもう１つの収容室と、この収容室に収容された可動部７とを備えており、２種類の規格の光ディスク１に対応できるようになっている。そして、ベース部材６の凸部８に係合されたリードスクリュウ１０にはスレッドモータ１８の出力軸が結合されている。そして、マイクロコンピュータ２０が、駆動回路１９を介して、スレッドモータ１８を回転させることにより、２つの可動部７を備えたピックアップ５を光ディスク１の径方向に移動させることができる構成になっている。
【００１３】
可動部７においては、レーザダイオード１２から放射されたレーザ光が、対物レンズ１５を介して、光ディスク１の信号面に集光され、さらに、光ディスク１の記録溝や案内溝で反射され、ハーフミラー１４を介して、受光部１３に入射される。受光部１３に入射された光は電気信号に変換され、ピックアップ５の外部のアナログ信号変換回路２１に加えられる。
【００１４】
アナログ信号変換回路２１は、受光部１３で変換された電気信号に基づいてトラッキングエラー及びフォーカスエラーを検出し、トラッキングエラー信号ＴＥ、フォーカスエラー信号ＦＥ及び総和信号ＰＥを出力する。これらの信号のうち、トラッキングエラー信号ＴＥはＡ−Ｄ変換器２２でアナログ−デジタル変換されてマイクロコンピュータ２０に取り込まれる。同様に、フォーカスエラー信号ＦＥはＡ−Ｄ変換器２３でアナログ−デジタル変換されてマイクロコンピュータ２０に取り込まれる。また、総和信号ＰＥはＡ−Ｄ変換器２４でアナログ−デジタル変換されてマイクロコンピュータ２０に取り込まれる。
【００１５】
マイクロコンピュータ２０には、その演算処理に必要な制御手順及び固定データをあらかじめ書き込まれ、必要に応じてマイクロコンピュータ２０に提供するＲＯＭ２５と、マイクロコンピュータ２０に演算処理上のワーキングエリア又は入出力のバッファとして用いられるＲＡＭ２６とが接続されている。そこで、マイクロコンピュータ２０はＲＯＭ２５に書き込まれた制御手順に従って周知の演算を実行してトラッキング制御データ及びフォーカス制御データを出力する。これらの制御データのうち、トラッキング制御データはＤ−Ａ変換器２７でデジタル−アナログ変換されてドライバ２８に加えられ、フォーカス制御データはＤ−Ａ変換器２９でデジタル−アナログ変換されてドライバ３０に加えられる。
【００１６】
ドライバ２８は変換されたトラッキング制御信号に従って駆動電流をトラッキング制御用コイル１６に供給し、ドライバ３０は変換されたフォーカス制御信号に従って駆動電流をフォーカス制御用コイル１７に供給する。ここで、マイクロコンピュータ２０は光ディスク１の規格が２種類のうちのいずれであるかを判別し、その判別結果に合わせて前述した２つの可動部７を選択的に使用するように、ピックアップ５の位置及び電気系統（図示を省略）を切り替える。
【００１７】
図２は本発明の一実施の形態のピックアップ及びその搬送機構の概略構成図であり、図１と同一の符号を付したものはそれぞれ同一の要素を示している。ここで、ピックアップ５は箱形のベース部材６を有しており、このベース部材６上に同様に構成された２個の可動部７、７が光ディスク１の径方向に並べて搭載されている。また、ベース部材６のベース部の一方の側方に凸部８が設けられ、他方の側方に凸部９が設けられている。凸部８にはネジ孔が形成され、このネジ孔にリードスクリュウ１０が螺合されている。凸部９には貫通孔が形成され、この貫通孔にガイドバー１１が滑合されている。このリードスクリュウ１０及びガイドバー１１は光ディスク１の径方向に平行に取り付けられ、前述したスレッドモータ１８と共に本発明の搬送手段を構成している。
【００１８】
図３は本発明の一実施の形態の可動部７の詳細な構成を示す斜視図である。これは、ピックアップ５に搭載される２個の可動部７のうちの１つを示したもので、ベース部材６はそれぞれ軟鉄で構成された矩形状の底壁６ａと、その周辺に垂直に取り付けられた側壁６ｂとを備えている。ここでは、可動部７の構成を説明するために、底壁６ａの他の辺に取り付けられる側壁６ｂを省略しているが、これら底壁６ａ及び側壁６ｂによってベース部材６が構成され、その内部に収容室６ｃが形成されている。底壁６ａ上には１対の板状の永久磁石３１が底壁６ａに対して垂直に、かつ、相互に間隔を空けて対向する状態に取り付けられており、ベース部材６と共に磁気回路を構成している。
【００１９】
可動部７は、底壁６ａのほぼ中心部に対物レンズ１５を保持するレンズホルダ３２を有しており４本又は６本（図３では４本の場合を示している）のサスペンションワイヤ３３により側壁６ｂに支持され、収容室６ｃの内部に吊られた状態になっている。このサスペンションワイヤ３３は、可動部７を光ディスク１の信号面に平行にしてその径方向と、信号面と直交する方向に駆動することを可能にしたものである。レンズホルダ３２の周囲にフォーカス制御用コイル１７が巻装され、さらに、永久磁石３１、３１とそれぞれ対向する側のフォーカス制御用コイル１７上にトラッキング制御用コイル１６が装着されている。フォーカス制御用コイル１７は永久磁石３１、３１によって形成される磁界中に電流を流すことによって、レンズホルダ３２をフォーカス方向に駆動することができ、トラッキング制御用コイル１６もまた永久磁石３１、３１によって形成される磁界中に電流を流すことによって、レンズホルダ３２をトラッキング制御方向に駆動することができる。このように、永久磁石３１とトラッキング制御用コイル１６及びフォーカス制御用コイル１７とによって可動部７を駆動する駆動部が構成されている。
【００２０】
図４は本発明の一実施の形態の可動部７及びベース部材６の詳細な構成を説明するための部分断面図であり、図３中のＡ−Ａ矢視断面に対応している。図４において、レンズホルダ３２にはレーザ光を透過させることが可能な孔３２ａが形成されて中空構造になっており、孔３２ａの上端部に対物レンズ１５が取り付けられている。光ディスク１の径方向、すなわち、トラッキング制御方向に対向させて取り付けられている側壁６ｂ、６ｂの各内壁面にシート状の緩衝部材３４がそれぞれ装着されている。緩衝部材３４は、柔軟性に優れるとともに、摩擦係数が高く、かつ比較的安価な材料で構成されている。
【００２１】
図５は本発明の一実施の形態のマイクロコンピュータ２０の１つの処理動作を説明するための説明図である。ここで、ピックアップ５は光ディスク１と対向する側がレーザ光が通過できる開口部を有する開放端とされた２つの収容室６ｃ、６ｃがトラッキング制御方向に隣接して形成されている。これらの収容室６ｃ、６ｃには駆動部７Ａ、７Ｂがトラッキング制御方向とフォーカス方向とに移動可能に支持されている。そして、収容室６ｃ、６ｃをそれぞれ形成する一対の側壁６ｂ、６ｂの内壁面に緩衝部材３４、３４がそれぞれ装着されている。駆動部４１Ａは駆動部７Ａのフォーカス制御用コイル１７とその外側に固定された永久磁石３１（図３参照）で構成されており、駆動部４１Ｂは駆動部７Ｂのフォーカス制御用コイル１７とその外側に固定された永久磁石３１（図３参照）で構成されている。静止制御手段４２はマイクロコンピュータ２０に持たせた機能であり、例えば、可動部７Ａが情報の記録又は再生を行い、可動部７Ｂが情報の記録又は再生を行わない場合で、かつ、ピックアップ５を矢印Ｘ方向に移動させるとき、静止制御手段４２は情報の記録又は再生を行わない可動部７Ｂを矢印Ｘ方向とは反対側の側壁６ｂに、緩衝部材３４を介して圧接させる。
【００２２】
以上の説明から明らかなように、本発明の一実施の形態によれば、情報の記録又は再生を行わない可動部７Ｂをピックアップ５の移動方向とは反対側の側壁６ｂに、緩衝部材３４を介して圧接させるように静止制御手段４２が駆動部４１Ｂに制御信号を与えるので、情報の記録又は再生に使用しない可動部７Ｂが破損したり変形したりすることを確実に防止することが可能になる。
【００２３】
なお、上記の実施の形態ではトラッキング制御方向に２系統の光学系を搭載したピックアップについて説明したが、本発明はこれに適用を限定されるものではなく、１つの光学系統であっても、３つ以上の光学系統であっても、要は可動部７が情報の記録又は再生を行わない場合で、かつ、ピックアップ５をトラッキング制御方向に移動させるとき、ピックアップ５の移動方向とは反対側の側壁６ｂに、緩衝部材３４を介して圧接させることによって上述した効果が得られる。
【００２４】
また、上記の実施の形態では、側壁６ｂの内壁面にのみ緩衝部材３４を装着したが、可動部７の外側面のみに緩衝部材３４を装着しても、あるいは側壁６ｂの内壁面及び可動部７の外側面の両方に緩衝部材３４を装着してもよい。
【図面の簡単な説明】
【００２５】
【図１】本発明に係るディスクドライブ装置の一実施の形態の全体構成を示すブロック図である。
【図２】本発明の一実施の形態のピックアップ及びその搬送機構の概略構成図である。
【図３】本発明の一実施の形態の可動部の詳細な構成を示す斜視図である。
【図４】本発明の一実施の形態の可動部及びベース部材の詳細な構成を説明するための部分断面図である。
【図５】本発明の一実施の形態のマイクロコンピュータの１つの処理動作を説明するための説明図である。
【符号の説明】
【００２６】
１  ディスク状記録媒体（光ディスク）
５  ピックアップ
６  ベース部材
６ａ  底壁
６ｂ  側壁
６ｃ  収容室
７、７Ａ、７Ｂ  可動部
１０  リードスクリュウ（搬送手段）
１１  ガイドバー（搬送手段）
１５  対物レンズ
１６  トラッキング制御用コイル
１７  フォーカス制御用コイル
１８  スレッドモータ（搬送手段）
２０  マイクロコンピュータ
３１  永久磁石
３２  レンズホルダ
３４  緩衝部材
４１Ａ、４１Ｂ  駆動部
４２  静止制御手段
【図１】
2007272979.tif 000003
【図２】
2007272979.tif 000004
【図３】
2007272979.tif 000005
【図４】
2007272979.tif 000006
【図５】
2007272979.tif 000007